(57)【特許請求の範囲】
【請求項１】
本体(10)内に画成された収納室(12)を、複数の仕切部材(30,32)を上下に連ねて構成された仕切壁(20)で横に並んだ温蔵室(22)および冷蔵室(24)に仕切り、上下に隣接する前記仕切部材(30,32)間に、温蔵室(22)および冷蔵室(24)の両方に臨むように食品トレー(T)を引出し可能に差込んで保持する配膳車において、
前記仕切壁(20)の上端に位置する上端仕切部材(30)における前記収納室(12)の上壁(12A)と対向する上面に設けられた複数の第１連結部(G1)と、
前記収納室(12)の上壁(12A)に前記各第１連結部(G1)に対応して設けられ、該上壁(12A)に対して前記上端仕切部材(30)を取付準備位置と取付位置との間を移動することで、各第１連結部(G1)に対して連結および分離可能な複数の第２連結部(G2)とを備え、
前記第１連結部(G1)および第２連結部(G2)の一方は、前記上端仕切部材(30)の取付準備位置と取付位置との移動方向に離間して設けられた複数の開口部(40,42,44)を備えると共に、前記第１連結部(G1)および第２連結部(G2)の他方は、前記各開口部(40,42,44)と対応して設けられた係止片(60,62,64)を備え、
前記係止片(60,62,64)は、
前記上壁(12A)に取付けられた取付部(60A)、該取付部(60A,62A)から上壁(12A)と反対方向へ立設されると共に前記取付準備位置側へ延出した係止部(60B,62B)、係止部(60B,62B)の先端から折曲して上壁(12A)から離間するよう斜めに延出する案内部(60C,62C)を備える第１の係止片(60,62)と、
前記上壁(12A)に取付けられた取付部(64A)、該取付部(64A)から上壁(12A)と反対方向へ立設された立設部(64B)、該立設部(64B)の先端から上壁(12A)に近接するよう斜め上方へ延出した第１傾斜部(64D)、該第１傾斜部(64D)の端から先端に向かうにつれて上壁(12A)から離間するよう斜め下方へ延出した第２傾斜部(64E)を備えた第２の係止片(64)とからなり、
前記上壁(12A)における前記第２の係止片(64)に対応する開口部(44)に隣接する部位に、前記上端仕切部材(30)を前記取付準備位置から取付位置に移動した際に前記第２傾斜部(64E)が係脱可能に係合する被係合部(52)が設けられ、
前記上端仕切部材(30)を、前記各開口部(40,42,44)に各係止片(60,62,64)が挿入された前記取付準備位置から取付位置へ移動することで、前記第１の係止片(60,62)が対応の開口部(40,42)の縁部(46,48)に係合すると共に、前記第２の係止片(64)が前記被係合部(52)に係合して、該上端仕切部材(30)が前記上壁(12A)に取付けられる
ことを特徴とする配膳車。
【請求項２】
前記上壁(12A)には、前記第１の係止片(60,62)の取付部(60A,62A)および第２の係止片(64)の取付部(64A)が係合する取付凹部(12B)が、該取付部(60A,62A,64A)の厚み分だけ該上壁(12A)から凹んだ状態に形成されている請求項１記載の配膳車。
【発明の詳細な説明】
【技術分野】
【０００１】
この発明は、複数の仕切部材を上下に連ねて構成された仕切壁で本体内を温蔵室および冷蔵室に仕切った配膳車に関するものである。
【背景技術】
【０００２】
病院やホテル等では、例えば特許文献１に開示されるような形態の配膳車が実施されている。この配膳車は、移動可能な本体の内部に収納室を画成すると共に、該収納室を仕切棚ユニット(仕切壁)で保温室(温蔵室)および保冷室(冷蔵室)に仕切り、保温室および保冷室の両方に臨むように食品トレーを保持するようになっている。仕切棚ユニットは、複数の仕切棚(仕切部材)を上下に連ねて構成され、上下に隣接する仕切棚間に前記食品トレーの略中間部分を水平に差込み得るようになっている。従って、仕切棚ユニットに差込んで保持された食品トレーの保温室側に臨む載置部に載せられた食品は保温されると共に、該食品トレーの保冷室側に臨む載置部に載せられた食品は保冷されるようになっている。
【０００３】
前記仕切棚ユニットを構成する各仕切棚は、各々が別体となっていることから本体に個別に固定される。仕切棚ユニットの上端に位置する仕切棚を除いた仕切棚は、該仕切棚の両側に配設された棚板等を利用して収納室の側壁に掛止させることで、該収納室内に取付けられる。一方、上端に位置する仕切棚(以降「上端仕切棚」という)は、収納室の天井面パネルに下方から対向するため、該天井面パネルに取付けられる。
【先行技術文献】
【特許文献】
【０００４】
【特許文献１】特開２００７−２９３９６号公報
【発明の概要】
【発明が解決しようとする課題】
【０００５】
ところで、特許文献１の配膳車では、前記仕切棚ユニットの上端仕切棚が、収納室の天井面パネルに対して、複数のボルトやネジの締結により取付けられるようになっている。このため、本体に対する上端仕切棚の取付作業に際しては、前記ボルトやネジを締結するための工具(スパナ、ドライバー等)を準備する必要があると共に、収納室内に腕を差込んで上端仕切棚をセットしたもとで前記工具でボルトやネジを締結しなければならず、手探りでの作業や無理な姿勢を強いられることとなって上端仕切棚の取付作業および取外し作業を簡易に行なうことができない。すなわち、保温室や保冷室内の清掃に際して、上端仕切棚を着脱する作業が煩雑で時間が掛かり、清掃作業に支障を来たしていた。
【０００６】
本発明は、従来の配膳車に内在する前記問題に鑑み、これを好適に解決するべく提案されたものであって、収納室内を温蔵室および冷蔵室に仕切る仕切壁の上端に位置する仕切部材を、該収納室に対して簡易に着脱し得るようにした配膳車を提供することを目的とする。
【０００７】
前記課題を克服し、所期の目的を達成するため、本願の請求項１に記載の発明は、
本体内に画成された収納室を、複数の仕切部材を上下に連ねて構成された仕切壁で横に並んだ温蔵室および冷蔵室に仕切り、上下に隣接する前記仕切部材間に、温蔵室および冷蔵室の両方に臨むように食品トレーを引出し可能に差込んで保持する配膳車において、
前記仕切壁の上端に位置する上端仕切部材における前記収納室の上壁と対向する上面に設けられた複数の第１連結部と、
前記収納室の上壁に前記各第１連結部に対応して設けられ、該上壁に対して前記上端仕切部材を取付準備位置と取付位置との間を移動することで、各第１連結部に対して連結および分離可能な複数の第２連結部とを備え、
前記第１連結部および第２連結部の一方は、前記上端仕切部材の取付準備位置と取付位置との移動方向に離間して設けられた複数の開口部を備えると共に、前記第１連結部および第２連結部の他方は、前記各開口部と対応して設けられた係止片を備え、
前記係止片は、
前記上壁に取付けられた取付部、該取付部から上壁と反対方向へ立設されると共に前記取付準備位置側へ延出した係止部、係止部の先端から折曲して上壁から離間するよう斜めに延出する案内部を備える第１の係止片と、
前記上壁に取付けられた取付部、該取付部から上壁と反対方向へ立設された立設部、該立設部の先端から上壁に近接するよう斜め上方へ延出した第１傾斜部、該第１傾斜部の端から先端に向かうにつれて上壁から離間するよう斜め下方へ延出した第２傾斜部を備えた第２の係止片とからなり、
前記上壁における前記第２の係止片に対応する開口部に隣接する部位に、前記上端仕切部材を前記取付準備位置から取付位置に移動した際に前記第２傾斜部が係脱可能に係合する被係合部が設けられ、
前記上端仕切部材を、前記各開口部に各係止片が挿入された前記取付準備位置から取付位置へ移動することで、前記第１の係止片が対応の開口部の縁部に係合すると共に、前記第２の係止片が前記被係合部に係合して、該上端仕切部材が前記上壁に取付けられることを要旨とする。
【０００８】
従って、請求項１に係る発明によれば、上端仕切部材を取付準備位置から取付位置へ移動させるだけで第１連結部と第２連結部とが連結され、該上端仕切部材を上壁に簡易に取付けることができる。また、上端仕切部材を取付位置から取付準備位置へ移動させるだけで第１連結部と第２連結部とが分離し、該上端仕切部材を上壁から簡易に取外すことができる。そして、前記上端仕切部材を取付準備位置して各開口部に各係止片を対応的に挿入させ、取付準備位置の該上端仕切部材を取付位置に移動することで各係止片が各開口部の縁部に係合するので、上端仕切部材を前記上壁に簡単かつ容易に取付けることができる。従って、温蔵室や冷蔵室内の清掃に際して、上端仕切部材の上壁からの着脱作業を簡単かつ短時間で行なうことができる。
【０００９】
請求項２に記載の発明は、
前記上壁には、前記第１の係止片の取付部および第２の係止片の取付部が嵌合する取付凹部が、該取付部の厚み分だけ該上壁から凹んだ状態に形成されていることを要旨とする。
【発明の効果】
【００１１】
本発明に係る配膳車によれば、収納室内を温蔵室および冷蔵室とに仕切る仕切壁の上端仕切部材を、該収納室の上壁に対して簡易に着脱することができる。
【図面の簡単な説明】
【００１２】
【図１】本発明の実施例に係る配膳車において、収納室内を温蔵室および冷蔵室に仕切る仕切壁の上部分を示す側断面図である。
【図２】仕切壁の上端に位置する第１仕切部材を示す斜視図である。
【図３】第１仕切部材に設けた第１連結部と、本体における収納室の上壁に設けた第２連結部とを示す説明斜視図である。
【図４】(ａ)は、第１連結部を構成する第１係止縁部および第２連結部を構成する第１係止片を示す斜視図であり、(ｂ)は、第１連結部を構成する第３係止縁部および第２連結部を構成する第３係止片と、係止突部および係止口とを示す斜視図である。
【図５】第１仕切部材を取付準備位置にセットした状態を示す部分断面図である。
【図６】第１仕切部材を、取付準備位置から取付位置に移動した状態を示す部分断面図である。
【図７】仕切壁を構成する第２仕切部材を、該第２仕切部材の両側に取付けられたトレー支持部材を介して収納室に配設した状態を示す説明斜視図である。
【図８】本体の両側に配設した開閉扉を一部破断して示す配膳車の側面図である。
【図９】図８のIX−IX線断面図である。
【図１０】第１仕切部材に設けた第１連結部と、本体における収納室の上壁に設けた第２連結部との別形態例を示す説明断面図である。
【発明を実施するための形態】
【００１３】
次に、本発明に係る配膳車につき、好適な実施例を挙げて、添付図面を参照しながら以下に説明する。なお実施例では、配膳車の移動方向を前後方向、この移動方向と水平に交差する方向を左右方向、移動方向と垂直に交差する方向を上下方向とする。
【実施例】
【００１４】
実施例の配膳車Ｗは、図８および図９に示すように、左右両面が開放されて全体として矩形箱状をなす断熱構造の本体１０を備え、この本体１０の底面には複数のキャスター１４が配設されて移動可能に構成されている。前記本体１０は、その内部における前後方向の中央部に、該本体１０の左右幅と同一幅とされた中央壁１６が垂直に設けられ、内部を前後２つに区画した収納室１２,１２が画成される。更に、各収納室１２では、その前後方向の略中央部に、断熱構造に構成された仕切壁２０が垂直に設けられており、これにより仕切壁２０の中央壁１６から離間する側に温蔵室２２が画成されると共に、該仕切壁２０の中央壁１６に近接する側に冷蔵室２４が画成されている。そして、本体１０の左右の開口部には、温蔵室２２,２２および冷蔵室２４,２４の夫々に対応して４枚ずつの扉１８が開閉可能に配設されている。
【００１５】
前記中央壁１６内には、本体１０の上部に配設した冷風供給装置(図示せず)に連通する冷風流路２６が画成されると共に、該中央壁１６には各冷蔵室２４と冷風流路２６とを空間的に連通する複数の開口が形成されており、冷風供給装置から冷風流路２６へ送り出された冷却空気が、各開口を介して各々の冷蔵室２４,２４内に供給され、該冷蔵室２４,２４内が冷されるようになっている。また、本体１０の前壁１０Ａ内および後壁１０Ｂ内には、本体１０の上部に配設した温風供給装置(図示せず)に連通する温風流路２８が画成されると共に、収納室１２の壁面には各温蔵室２２と温風流路２８とを空間的に連通する複数の開口が形成されており、温風供給装置から温風流路２８へ送り出された加熱空気が、各開口を介して各々の温蔵室２２,２２内に供給され、該温蔵室２２,２２内が温められるようになっている。
【００１６】
仕切壁２０は、図１および図８に示すように、複数(実施例では６個)の仕切部材３０,３２を上下に連ねて構成されている。このうち、仕切壁２０の上端に位置する仕切部材(以降「第１仕切部材」という)３０だけが構成が異なり、残りの５個の仕切部材(以降「第２仕切部材」という)３２は同一に構成されている。後述するように、第１仕切部材３０は、第１連結部Ｇ１および第２連結部Ｇ２を利用して収納室１２の上壁１２Ａに着脱可能に取付け得るように構成されており、各第２仕切部材３２は、該第２仕切部材３２の前後両側に取付けられたトレー支持部材７６,７６を介して収納室１２に取付けられるように構成されている。
【００１７】
第１仕切部材３０は、図１〜図３に示すように、収納室１２の左右幅と同一長に形成した中空箱体３４と、この中空箱体３４の内部に収納された断熱材３６と、前記中空箱体３４の底壁に昇降可能に配設された昇降体３８とを備えている。中空箱体３４は、収納室１２の幅と同一長で左端および右端を直角に折曲した形状に形成されて該中空箱体３４の前壁および左右側壁の一部を構成する第１パネル３４Ａと、前記第１パネル３４Ａと前後方向で対称となる形状に形成されて中空箱体３４の後壁および左右側壁の一部を構成する第２パネル３４Ｂと、中空箱体３４の上壁を構成する第３パネル３４Ｃとで構成されている。
【００１８】
第３パネル３４Ｃには、中空箱体３４の左端に隣接する位置に矩形状の第１開口部(開口部)４０が設けられ、中空箱体３４の右端に隣接する位置に矩形状の第２開口部(開口部)４２が設けられ、中空箱体３４の左右中央からやや左側となる位置に矩形状の第３開口部(開口部)４４が設けられている。前記第１開口部４０には第１連結部Ｇ１を構成する第１係止縁部(縁部)４６が設けられ、第２開口部４２には該第１連結部Ｇ１を構成する第２係止縁部(縁部)４８が設けられ、第３開口部４４には該第１連結部Ｇ１を構成する第３係止縁部(縁部)５０が設けられている。また、第３パネル３４Ｃにおいて第３開口部４４の第２開口部４２側に隣接した部位、第２開口部４２の後述する取付準備位置側に、保持機構Ｒを構成する係止口(被係合部)５２が設けられている。
【００１９】
前記昇降体３８は、中空箱体３４内に配設された板バネ(図示せず)により常に中空本体１０から下方へ突出した状態に弾力付勢され、下方から上方に向けて押されると、板バネの付勢力に抗して上昇し得るようになっている。従って、後述するように、食品トレーＴを差込む際に該食品トレーＴが下方から当接すると、上昇して該食品トレーＴが差込まれるのを許容する。
【００２０】
また、本体１０の収納室１２における上壁１２Ａには、図１および図３に示すように、前記第１仕切部材３０を該上壁１２Ａに着脱可能に取付けるための第２連結部Ｇ２が設けられている。この第２連結部Ｇ２は、前記第１連結部Ｇ１の第１係止縁部４６と分離可能に連結する第１係止片６０と、第１連結部Ｇ１の第２係止縁部４８と分離可能に連結する第２係止片６２と、第１連結部Ｇ１の第３係止縁部５０と分離可能に連結する第３係止片６４とを備えている。
【００２１】
第２連結部Ｇ２を構成する第１係止片６０および第２係止片６２は、図３および図４(ａ)に示すように同一形状に形成されており、収納室１２の上壁１２Ａに形成された取付凹部１２Ｂに嵌合する取付部６０Ａ,６２Ａと、取付部６０Ａ,６２Ａから上壁１２Ａと反対方向(下方)へ立設されると共に取付準備位置側へ水平に延出した係止部６０Ｂ,６２Ｂと、係止部６０Ｂ,６２Ｂの先端から折曲して斜め下方へ延出する案内部６０Ｃ,６２Ｃとを備えている。第１係止片６０および第２係止片６２は、取付部６０Ａ,６２Ａを前記取付凹部１２Ｂに嵌合させた状態でネジにより上壁１２Ａに固定され、この状態で係止部６０Ｂ,６２Ｂは、上壁１２Ａとの間に間隔Ｓをおいて水平に延出している。なお、係止部６０Ｂ,６２Ｂと上壁１２Ａとの間隔Ｓは、前記第１仕切部材３０の第３パネル３４Ｃの厚みと同じに設定されている(図５参照)。また、第１係止片６０および第２係止片６２の取付部６０Ａ,６２Ａおよび係止部６０Ｂ,６２Ｂは、該第１係止片６０および第２係止片６２と対応する第１開口部４０および第２開口部４２に挿通可能な形状に形成されている。
【００２２】
第２連結部Ｇ２を構成する第３係止片６４は、図３および図４(ｂ)に示すように、収納室１２の上壁１２Ａに形成された取付凹部１２Ｂに嵌合する取付部６４Ａと、取付部６４Ａから上壁１２Ａと反対方向(下方)へ立設された立設部６４Ｂと、立設部６４Ｂから取付準備位置側へ延出した係止突部(係合部)６４Ｃとを備えている。係止突部６４Ｃは、立設部６４Ｂから離間するにつれて上壁１２Ａに近接するよう斜め上方へ延出した第１傾斜部６４Ｄと、この第１傾斜部６４Ｄの端から先端に向かうにつれて上壁１２Ａから離間するよう斜め下方へ延出した第２傾斜部６４Ｅとを有し、上壁１２Ａ側へ突出した形状となっている。第３係止片６４は、取付部６４Ａを前記取付凹部１２Ｂに嵌合させた状態でネジにより上壁１２Ａに固定され、この状態で係止突部６４Ｃは、上壁１２Ａに略接触するよう設定されている。そして係止突部６４Ｃは、立設部６４Ｂとの折曲部を中心として上壁１２Ａに接離する方向への弾性変形が可能となっている。また、第３係止片６４の係止突部６４Ｃは、該第３係止片６４と対応する第３開口部４４に挿通可能な形状に形成されている。
【００２３】
前述のように構成された第１仕切部材３０は、図３、図５および図６に示すようにして収納室１２の上壁１２Ａに取付けられる。先ず、図３および図５に示すように、第１仕切部材３０を、上壁１２Ａに対して、上壁１２Ａに設けた第１係止片６０、第２係止片６２および第３係止片６４が、第１仕切部材３０に設けた第１開口部４０、第２開口部４２および第３開口部４４へ夫々整合して挿通された取付準備位置にセットする。なお、第１連結部Ｇ１における第１係止縁部４６、第２係止縁部４８および第３係止縁部５０と、第２連結部Ｇ２における第１係止片６０の係止部６０Ｂ、第２係止片６２の係止部６２Ｂおよび第３係止片６４の係止突部６４Ｃとは、第１仕切部材３０の取付準備位置において上下方向で重ならないように構成されている。
【００２４】
そして第１仕切部材３０を、図５に示した取付準備位置から取付位置に向けて上壁１２Ａに沿ってスライド移動させると、図６に示すように、第１係止片６０の係止部６０Ｂと第１係止縁部４６とが上下方向で重なり、第２係止片６２の係止部６２Ｂと第２係止縁部４８とが上下方向で重なると共に、第３係止片６４の係止突部６４Ｃと第３係止縁部５０とが上下方向で重なるように構成されている。すなわち、第１連結部Ｇ１の第１係止縁部４６、第２係止縁部４８および第３係止縁部５０は、前記取付位置側を指向するように形成されていると共に、第２連結部Ｇ２の第１係止片６０、第２係止片６２および第３係止片６４は、前記取付準備位置側へ延出するように設けられている。従って、第１仕切部材３０を取付準備位置から取付位置へスライド移動させることで、第１係止縁部４６と第１係止片６０の係止部６０Ｂとが係止され、第２係止縁部４８と第２係止片６２の係止部６２Ｂとが係止され、第３係止縁部５０と第３係止片６４の係止突部６４Ｃとが係止され、第１連結部Ｇ１と第２連結部Ｇ２とが連結する。
【００２５】
なお、上壁１２Ａに対する第１仕切部材３０の取付準備位置および取付位置においては、第１開口部４０における第１係止縁部４６の両端に位置する開口側縁４０Ａ,４０Ａが第１係止片６０の係止部６０Ｂの両端に当接し、第２開口部４２における第２係止縁部４８の両端に位置する開口側縁４２Ａ,４２Ａが第２係止片６２の係止部６２Ｂの両端に当接し、第３開口部４４における第３係止縁部５０の両端に位置する開口側縁４４Ａ,４４Ａが第３係止片６４の係止突部６４Ｃの両端に当接する。従って第１仕切部材３０は、取付準備位置から取付位置に向けて適切な姿勢でスライド移動すると共に、取付位置においては上壁１２Ａに沿った前後方向のスライド移動および旋回移動も規制されている。また、第１仕切部材３０が上壁１２Ａから僅かに下方へ離間した状態で、該第１仕切部材３０を取付準備位置から取付位置へ移動させた場合には、第１係止縁部４６が第１係止片６０の案内部６０Ｃで案内され、第２係止縁部４８が第２係止片６２の案内部６２Ｃで案内され、第３係止縁部５０が第３係止片６４の第２傾斜部６４Ｅで案内されるから、第１仕切部材３０は上壁１２Ａに密着して取付位置へ移動する。
【００２６】
更に、第１仕切部材３０を取付準備位置から取付位置へ移動させる際には、第３係止片６４の係止突部６４Ｃが、第３パネル３４Ｃに接触することで立設部６４Ｂとの折曲部を中心として上壁１２Ａから離間するよう弾性変形することで、当該第１仕切部材３０の取付位置へのスライド移動を許容する。そして、第３係止片６４の係止突部６４Ｃは、第１仕切部材３０が取付位置に移動して前記係止口５２と整合すると、第３パネル３４Ｃとの接触による弾性変形が解除されて該係止口５２に突入する。従って、係止突部６４Ｃが係止口５２の取付準備位置側の縁部５２Ａに係合することで、該第１仕切部材３０の取付位置から取付準備位置への移動が規制される。
【００２７】
従って、実施例の配膳車Ｗにおける仕切壁２０の第１仕切部材３０は、該第１仕切部材３０を取付準備位置から取付位置へスライド移動させるだけで、当該第１仕切部材３０に設けた第１連結部Ｇ１と収納室１２の上壁１２Ａに設けた第２連結部Ｇ２との連結により、スパナやドライバー等の工具なしで上壁１２Ａに簡易に取付けることができ、配膳車Ｗの組立作業での効率化を図り得る。そして、上壁１２Ａの取付位置に取付けられた第１仕切部材３０は、第１連結部Ｇ１および第２連結部Ｇ２の連結により、上壁１２Ａに沿った前後方向および左右方向のスライド移動や、該上壁１２Ａに沿った旋回方向の姿勢変位が規制されると共に、該上壁１２Ａから下方へ離間する移動も規制され、該上壁１２Ａにがたつきなく保持される。
【００２８】
一方、上壁１２Ａに取付けた第１仕切部材３０は、取付位置から取付準備位置に向けて付勢することで、第３係止片６４の前記係止突部６４Ｃの弾性変形により該係止突部６４Ｃと係止口５２との係止が解除されてスライド移動が許容され、スパナやドライバー等の工具なしに上壁１２Ａから簡易に取外すことができる。従って、配膳車Ｗのメンテナンスや収納室１２(温蔵室２２および冷蔵室２４)内の清掃に際しては、必要に応じて第１仕切部材３０を上壁１２Ａから簡単かつ短時間で取外すことができるから、当該清掃作業に支障を来たすことを防止し得る。
【００２９】
前記各第２仕切部材３２は、図１および図７に示すように、収納室１２の幅と同一長に形成した中空箱体７０と、この中空箱体７０の内部に収納された断熱材７２と、前記中空箱体７０の底壁に昇降可能に配設された昇降体７４とを備えている。中空箱体７０は、収納室１２の幅と同一長で左端および右端を直角に折曲した形状に形成されて該中空箱体７０の前壁および左右側壁の一部を構成する第１パネル７０Ａと、前記第１パネル７０Ａと前後方向で対称となる形状に形成されて中空箱体７０の後壁および左右側壁の一部を構成する第２パネル７０Ｂと、中空箱体７０の上部に設けられて食品トレーＴを支持する支持体７０Ｃとで構成されている。
【００３０】
各第２仕切部材３２の前後方向両側には、図１、図７〜図９に示すように、食品トレーＴを支持するトレー支持部材７６,７６が設けられている。各トレー支持部材７６は、前後対称に構成されており、第２仕切部材３２の左右中間に固定される縦断面略Ｌ形のブラケット７８と、このブラケット７８の水平部分に取付けられて左右方向へ水平に延在する支持板８０とを備えている。支持板８０は、第２仕切部材３２と反対側の端縁に垂直下方へ折曲して左右方向へ延在する支持片８０Ａが形成されており、この支持片８０Ａの左端近傍および右端近傍には、該支持片８０Ａの下端に開口した逆Ｕ形の掛止凹部８２,８２が形成されている。これら掛止凹部８２は、図８に示すように、収納室１２を画成する壁面から水平に凸設した掛止ピン８４および前記中央壁１６の壁面から水平に凸設した掛止ピン８４に上方から分離可能に掛止されるようになっている。従って各第２仕切部材３２は、トレー支持部材７６,７６に設けた各掛止凹部８２を各掛止ピン８４に上方から対応的に掛止させることで収納室１２内に保持される。
【００３１】
仕切壁２０を構成する前記第１仕切部材３０の下方に配設された第２仕切部材３２は、その支持体７０Ｃが、第１仕切部材３０に配設した前記昇降体７４に下方から接触した状態となっている。また、上下に隣接する各第２仕切部材３２,３２においては、下方の第２仕切部材３２の支持体７０Ｃが上方の第２仕切部材３２の昇降体７４に下方から接触した状態となっている。従って仕切壁２０は、食品トレーＴが収納されていない状態では、上下に隣接する第１仕切部材３０および各第２仕切部材３２が接触することで、温蔵室２２と冷蔵室２４とを仕切るようになっている。また、上下に隣接する第２仕切部材３２,３２の間に食品トレーＴが差込まれる場合には、上方の第２仕切部材３２の昇降体７４が上昇して該食品トレーＴの差込みが許容されると共に、トレー支持部材７６,７６に支持された食品トレーＴの上面に前記昇降体７４が当接することで、温蔵室２２と冷蔵室２４とが仕切られた状態に保持される。
【００３２】
そして、冷蔵室２４内に配設されるトレー支持部材７６では、図７および図９に示すように、ブラケット７８の水平部分に、前後方向へ延在するスリット状の開口部８６が設けられている。この開口部８６は、図９に示すように、収納室１２に対して左右両側からトレー支持部材７６に食品トレーＴ,Ｔが差込まれて支持されていても塞がれないように設定されている。従って、各トレー支持部材７６の左右に食品トレーＴが支持されていても、冷蔵室２４の内部全体が各ブラケット７８に設けた前記開口部８６により空間的に連通した状態に保持され、冷蔵室２４内での冷却空気の循環が阻害されず該冷蔵室２４内が効率的に冷やされるようになっている。
【００３３】
前述のように構成された実施例の配膳車Ｗは、図８および図９に示すように、仕切壁２０に差込んだ食品トレーＴがトレー支持部材７６,７６で支持されると、該食品トレーＴの第１載置部Ｔ１が温蔵室２２側に位置すると共に、第２載置部Ｔ２が冷蔵室２４側に位置する。従って、第１載置部Ｔ１に載置された食品は、温められると共に温められた状態に保温され、第２載置部Ｔ２に載置された食品は、冷されると共に冷された状態に保冷される。
【００３４】
(変更例)
（１）図１０は、第１連結部Ｇ１および第２連結部Ｇ２の別形態例を示す説明断面図である。この別形態例では、取付凹部１２Ｂが形成されていない平坦状の上壁１２Ａに第１係止片６０、第２係止片６２および第３係止片６４を固定したもので、取付部６０Ａ,６２Ａ,６４Ａが該上壁１２Ａから厚み分だけ突出した状態となっている。これにより、第１開口部４０、第２開口部４２および第３開口部４４の取付準備位置と取付位置との移動方向における各々の開口長ｄ１,ｄ２,ｄ３(図１０参照)は、対応する第１係止片６０、第２係止片６２および第３係止片６４の取付準備位置と取付位置との移動方向における各々の長さＤ１,Ｄ２,Ｄ３以上に設定されている。従って、このような寸法関係とすることで、別形態例においても、第１仕切部材３０を取付準備位置にセットするに際して、第１係止片６０、第２係止片６２および第３係止片６４が、対応する第１開口部４０、第２開口部４２および第３開口部４４へ各々整合して挿通される。そして、取付準備位置にセットした第１仕切部材３０を、取付準備位置から取付位置に向けて上壁１２Ａに沿ってスライド移動させると、第１係止片６０の係止部６０Ｂと第１係止縁部４６とが上下方向で重なり、第２係止片６２の係止部６２Ｂと第２係止縁部４８とが上下方向で重なると共に、第３係止片６４の係止突部６４Ｃと第３係止縁部５０とが上下方向で重なるので、前記実施例と同様に第１仕切部材３０を上壁１２Ａにがたつきなく取付けることができる。
【００３５】
（２）第１連結部Ｇ１および第２連結部Ｇ２は、前記実施例と逆の形態であってもよい。すなわち、第１仕切部材３０の第３パネル３４Ｃに設けられる第１連結部Ｇ１は、前記実施例の第１〜第３の係止片６０,６２,６４と同一形状のものを、該第３パネル３４Ｃから上方へ上壁１２Ａの厚みと同等の間隔を保持して取付位置側へ延出するように設ける。また第２連結部Ｇ２は、前記上壁１２Ａの所要位置に、前記実施例の第１〜第３の開口部４０,４２,４４と同じ形態の開口部を設け、これら第１〜第３の開口部４０,４２,４４の開口縁に、第１〜第３の係止縁部４６,４８,５０を設ける。このような第１連結部Ｇ１および第２連結部Ｇ２であっても、第１仕切部材３０を取付準備位置から取付位置へスライド移動することで第１連結部Ｇ１と第２連結部Ｇ２とが連結して、該第１仕切部材３０を上壁１２Ａに簡単かつ確実に取付けることができる。
（３）第１連結部Ｇ１および第２連結部Ｇ２は、何れも前記第１〜第３の係止片６０,６２,６４と同一形態のものから構成してもよい。すなわち、第１連結部Ｇ１は、第１〜第３の係止片６０,６２,６４を、該第１仕切部材３０の第３パネル３４Ｃから上方へ間隔を保持して取付位置側へ延出するように設ける。また、第２連結部Ｇ２は、第１〜第３の係止片６０,６２,６４を、上壁１２Ａから下方へ間隔を保持して取付準備位置側へ延出するように設ける。このような第１連結部Ｇ１および第２連結部Ｇ２であっても、第１仕切部材３０を取付準備位置から取付位置へスライド移動することで第１連結部Ｇ１と第２連結部Ｇ２とが連結して、該第１仕切部材３０を上壁１２Ａに簡単かつ確実に取付けることができる。
（４）実施例では、第１連結部Ｇ１および第２連結部Ｇ２の連結方向を、配膳車Ｗの左右方向とした構成を例示したが、第１連結部Ｇ１および第２連結部Ｇ２の連結方向は、配膳車Ｗの前後方向であってもよい。
（５）第１連結部Ｇ１を構成する係止片６０,６２,６４および第２連結部Ｇ２を構成する係止縁４６,４８,５０の配設数は、実施例の３個に限定されない。
（６）温蔵室２２内に配設されるトレー支持部材７６におけるブラケット７８の水平部分に、前記開口部８６と同じ形状の開口部を設けてもよい。これにより、各トレー支持部材７６の左右に食品トレーＴが支持されていても、温蔵室２２の内部全体が各ブラケット７８に設けた開口部により空間的に連通した状態に保持され、温蔵室２２内での加熱空気の循環が阻害されず該温蔵室２２内が効率的に温められる。
【符号の説明】
【００３６】
１０ 本体，１２ 収納室，１２Ａ 上壁，１２Ｂ 取付凹部，２０ 仕切壁，２２ 温蔵室
２４ 冷蔵室，３０ 第１仕切部材(仕切部材)，３２ 第２仕切部材(仕切部材)
４０ 第１開口部(開口部)，４２ 第２開口部(開口部)，４４ 第３開口部(開口部)
４６ 第１係止縁部(縁部)，４８ 第２係止縁部(縁部)，５０ 第３係止縁部(縁部)
５２ 係止口(被係合部)，６０ 第１係止片(係止片)，６０Ａ 取付部，６０Ｂ 係止部
６０Ｃ 案内部，６２ 第１係止片(係止片)，６２Ａ 取付部，６２Ｂ 係止部
６２Ｃ 案内部，６４ 第１係止片(係止片)，６４Ａ 取付部，６４Ｂ 立設部
６４Ｃ 係止突部(係合部)，６４Ｄ 第１傾斜部，６４Ｅ 第２傾斜部，Ｇ１ 第１連結部
Ｇ２ 第２連結部，Ｔ 食品トレー
【図１】
0005619534.tif 000002
【図２】
0005619534.tif 000003
【図３】
0005619534.tif 000004
【図４】
0005619534.tif 000005
【図５】
0005619534.tif 000006
【図６】
0005619534.tif 000007
【図７】
0005619534.tif 000008
【図８】
0005619534.tif 000009
【図９】
0005619534.tif 000010
【図１０】
0005619534.tif 000011